(57)【要約】【課題】投影表示設備及び表示方法を提供する【解決手段】第１のビデオ信号における連続した第１のフレームと第２のフレームに基づいて動き運算補正を実行して、前記第１のフレームと第２のフレームとの間に補間フレームを生成し、第１のフレームと補間フレームを第３のフレームになるように組み合わせるための処理回路と、第２のビデオ信号を投影し表示することに用いられ、前記画像投影表示装置の原生解像度が第２のビデオ信号の解像度と同じである画像投影表示装置と、を含み、処理回路は、更に、第３のフレームを解体して複数の第４のフレームを発生させ、前記第４のフレームを第２のビデオ信号として出力することに用いられ、且つ第１のビデオ信号の解像度が第２のビデオ信号の解像度より高い投影表示設備である。【選択図】図６
2020137107.tif 000002
【特許請求の範囲】
【請求項１】
第１のビデオ信号における連続した第１のフレーム及び第２のフレームに基づいて動き運算補正を実行して、前記第１のフレームと前記第２のフレームとの間に補間フレームを生成し、前記第１のフレームと補間フレームを第３のフレームになるように組み合わせるための処理回路と、
第２のビデオ信号を投影し表示することに用いられ、画像投影表示装置の原生解像度が前記第２のビデオ信号の解像度と同じである画像投影表示装置と、
を含み、
前記処理回路は、更に、前記第３のフレームを解体して複数の第４のフレームを発生させ、前記第４のフレームを第２のビデオ信号として出力することに用いられ、且つ前記第１のビデオ信号の解像度が前記第２のビデオ信号の解像度より高い投影表示設備。
【請求項２】
前記処理回路は、更に、前記第３のフレームを複数のブロックに解体し、前記ブロックの各々における異なる画素データに基づいて前記第４のフレームを発生させることに用いられる請求項１に記載の投影表示設備。
【請求項３】
前記ブロックの各々における異なる画素データは、時計回り方向によって配列される請求項２に記載の投影表示設備。
【請求項４】
前記第４のフレームにおける第１者は前記ブロックの各々における第１の画素データに基づいて発生し、
前記第４のフレームにおける第２者は前記ブロックの各々における第２の画素データに基づいて発生し、
前記第４のフレームにおける第３者は前記ブロックの各々における第３の画素データに基づいて発生し、
前記第４のフレームにおける第４者は前記ブロックの各々における第４の画素データに基づいて発生する請求項２に記載の投影表示設備。
【請求項５】
前記処理回路は、前記第１のフレームの複数の奇数列データと前記補間フレームの複数の偶数列データを交錯して組み合わせて、前記第３のフレームを発生させることに用いられる請求項１に記載の投影表示設備。
【請求項６】
前記画像投影表示装置は、前記第２のビデオ信号を周期的に偏向して投影して、投影画面を発生させるための多軸シフト装置を更に含む請求項１に記載の投影表示設備。
【請求項７】
第１のビデオ信号における連続した第１のフレームと第２のフレームによって動き運算補正を実行して前記第１のフレームと前記第２のフレームとの間に補間フレームを生成し、前記第１のフレームと補間フレームを第３のフレームになるように組み合わせる工程と、
更に前記第３のフレームを解体して複数の第４のフレームを発生させ、前記第４のフレームを第２のビデオ信号として出力することに用いられ、且つ前記第１のビデオ信号の解像度が前記第２のビデオ信号の解像度より高い工程と、
前記第２のビデオ信号を画像投影表示装置によって表示する工程と、
を備える表示方法。
【請求項８】
前記第３のフレームは、前記第１のフレームの複数の奇数列データと前記補間フレームの複数の偶数列データにより交錯して組み合わせられる請求項７に記載の表示方法。
【請求項９】
前記第３のフレームは複数のブロックに解体され、前記ブロックの各々における異なる画素データに基づいて前記第４のフレームを発生させる請求項７に記載の表示方法。
【請求項１０】
前記ブロックの各々における異なる画素データは、時計回り方向によって配列される請求項９に記載の表示方法。
【請求項１１】
前記第４のフレームにおける第１者は前記ブロックの各々における第１の画素データに基づいて発生し、
前記第４のフレームにおける第２者は前記ブロックの各々における第２の画素データに基づいて発生し、
前記第４のフレームにおける第３者は前記ブロックの各々における第３の画素データに基づいて発生し、
前記第４のフレームにおける第４者は前記ブロックの各々における第４の画素データに基づいて発生する請求項９に記載の表示方法。
【請求項１２】
前記画像投影表示装置は、前記第２のビデオ信号を周期的に偏向して投影し、投影画面を発生させるための多軸シフト装置を更に含む請求項７に記載の表示方法。
【発明の詳細な説明】
【技術分野】
【０００１】
本願は、投影表示設備及び表示方法に関し、特に、補間フレーム（ｉｎｓｅｒｔｉｎｇ  ｆｒａｍｅ）と解像度の向上に適用される投影表示設備及び表示方法に関する。
【背景技術】
【０００２】
高解像度の影像は、明らかな細部情報と高品質の鑑賞度を提供し、ユーザ体験（Ｕｓｅｒ  Ｅｘｐｅｒｉｅｎｃｅ）及び数多くの応用分野に大いに役立つ。数多くの影像信号が４Ｋ（３８４０×２１６０）を超えた解像度に発展され、更に８Ｋ（７６８０×４３２０）の表示解像度に発展され、普通の投影表示設備には、８Ｋに対応する投影表示素子は未だない。そのため、当時の投影表示設備であれば、８Ｋの表示解像度に対応できない。
【発明の概要】
【０００３】
上記問題を改善するために、本願のある態様は、第１のビデオ信号における連続した第１のフレーム及び第２のフレームに基づいて動き運算補正を実行して、前記第１のフレームと前記第２のフレームとの間に補間フレームを生成し、前記第１のフレームと補間フレームを第３のフレームになるように組み合わせるための処理回路と、前記第２のビデオ信号を投影し表示することに用いられ、前記画像投影表示装置の原生解像度が前記第２のビデオ信号の前記解像度と同じである画像投影表示装置と、を含み、前記処理回路は、更に、前記第３のフレームを解体して複数の第４のフレームを発生させ、前記第４のフレームを第２のビデオ信号として出力することに用いられ、且つ前記第１のビデオ信号の解像度が前記第２のビデオ信号の解像度より高い投影表示設備を提供する。
【０００４】
本願の別の態様は、第１のビデオ信号における連続した第１のフレームと第２のフレームによって動き運算補正を実行して前記第１のフレームと前記第２のフレームとの間に補間フレームを生成し、前記第１のフレームと補間フレームを第３のフレームになるように組み合わせる工程と、更に前記第３のフレームを解体して複数の第４のフレームを発生させ、前記第４のフレームを第２のビデオ信号として出力することに用いられ、且つ前記第１のビデオ信号の解像度が前記第２のビデオ信号の解像度より高い工程と、前記第２のビデオ信号を画像投影表示装置によって表示する工程と、を備える表示方法を提供する。
【発明の効果】
【０００５】
以上をまとめると、本願の実施例の提供した投影表示設備及び表示方法によれば、低原生解像度を有する投影設備により高解像度の表示画面を発生させることができる。
【図面の簡単な説明】
【０００６】
本願の図面については、下記のように説明される。
【図１】本願のある実施例による投影表示設備を示す模式図である。
【図２】本願のある実施例による動き運算補正を示す操作模式図である。
【図３】本願のある実施例による第３のフレームを組み合わせる操作を示す模式図である。
【図４】本願のある実施例による第４のフレームを発生させる操作を示す模式図である。
【図５】本願のある実施例による偏向投影を示す模式図である。
【図６】本願のある実施例による表示方法を示す流れ図である。
【発明を実施するための形態】
【０００７】
本文に使用される全ての語彙も、その一般的な意味を有する。上記の語彙の通常によく用いられる辞典での定義は、本明細書の内容において、ここで検討される何れの語彙の使用例を例示として含むだけであるが、本開示内容の範囲や意味が制限されない。同様に、本開示内容も、この明細書に示す様々な実施例に限定されない。
【０００８】
本文に使用される「含む」、「有する」等の用語は、何れも開放的な用語であり、つまり「〜を含むが、それに限定されない」という意味である。また、本文に使用される「及び／又は」は、関連列挙項目における１つ又は複数の項目の何れの１つ及びその全ての組み合わせを含む。
【０００９】
本文において、様々な素子、部品、領域、層及び／又はブロックを説明するために、「第１の」、「第２の」及び「第３の」等の語彙が使用されることは、理解されるべきである。しかし、前記素子、部品、領域、層及び／又はブロックは、前記術語により制限されるべきではない。前記語彙は、単一の素子、部品、領域、層及び／又はブロックを区別するためのものだけである。従って、下記第１の素子、部品、領域、層及び／又はブロックは、本願の本意から逸脱せずに、第２の素子、部品、領域、層及び／又はブロックと呼ばれてもよい。
【００１０】
本文に使用される「結合」又は「接続」とは、何れも２つ又は多くの素子が互いに直接実体的に又は電気的に接触し、又は互いに間接実体的に又は電気的に接触してもよいし、２つ又は多くの素子が互いに操作又は作動してもよい。
【００１１】
下記図６の表示方法６００を説明するために、様々な関連の語彙又は素子を順次に図１〜図５に合わせて説明する。
【００１２】
図１を参照されたい。図１は、本願のある実施例による投影表示設備１００を示す模式図である。ある実施例において、投影表示設備１００は、高解像度のビデオ信号を受信して、低い原生解像度を有する投影成像装置によってこのビデオ信号の画面を発生させ、この画面が等価的に前記の高解像度を有するようにすることに用いられる。
【００１３】
例えば、ある適用において、投影表示設備１００は、規格８Ｋ６０Ｈｚの第１のビデオ信号ＳＩＮを受信して、最高規格が４Ｋである画像投影表示装置１２０によって人の目に８Ｋの解像度の効果を与える画面（つまり、第２のビデオ信号ＳＯＵＴ）を発生させることに用いられ、その実際的な出力規格は４Ｋ２４０Ｈｚである。異なる適用において、投影表示設備１００は、デジタルテレビ、デジタルミニ反射鏡、家用及び専門プロジェクト等の装置であってよい。
【００１４】
ある実施例において、投影表示設備１００は、処理回路１１０と画像投影表示装置１２０を含む。処理回路１１０が画像投影表示装置１２０に結合される。ある実施例において、処理回路１１０は、投影画面を発生させるように、下記表示方法６００の操作を実行することに用いられる。
【００１５】
ある実施例において、処理回路１１０は、モーションブラー（Ｍｏｔｉｏｎ  ｂｌｕｒ）抑制回路（未図示）、影像処理回路（未図示）、色管理回路（未図示）等の影像処理回路及び上記回路の操作及び／又はタイミングを制御する少なくとも１つの制御回路を含んでよい。モーションブラー抑制回路は、影像のシャープネス又は流暢さを向上させるために、第１のビデオ信号ＳＩＮに基づいて動き検出又は補正（例えば、下記で言及される動き運算補正）を実行してよい。影像処理回路は、下記図３及び／又は図４の操作を実行することに用いられてよい。色管理回路は、操作の要求に応じて色割れ等の操作を実行することに用いられる。
【００１６】
ある実施例において、処理回路１１０は、プロセッサとメモリとの組み合わせであってよい。モーションブラー抑制回路、影像処理回路、色管理回路等の影像処理回路の機能は、プロセッサにより使用されるように、少なくとも１つのプログラミング・コードにより達成されてメモリに保存されてよい。
【００１７】
ある実施例において、プロセッサは、中央プロセッサ（ＣＰＵ）、特定用途向け集積回路（Ａｐｐｌｉｃａｔｉｏｎ-ｓｐｅｃｉｆｉｃ  ｉｎｔｅｇｒａｔｅｄ  ｃｉｒｃｕｉｔ；ＡＳＩＣ）、マルチプロセッサ、分散型処理システム、又は好適なプロセッサである。
【００１８】
ある実施例において、メモリは、非一時コンピュータ読み取り可能な記録媒体である。ある実施例において、コンピュータ読み取り可能な保存媒介は、電気、磁気、光学、赤外線及び／又は半導体システム（又は設備や装置）である。例えば、コンピュータ読み取り可能な保存媒介は、半導体又は固体メモリ、磁気テープ、リムーバブルディスク、ランダムアクセスメモリ（Ｒａｎｄｏｍ  Ａｃｃｅｓｓ  Ｍｅｍｏｒｙ；ＲＡＭ）、読出し専用メモリ（ｒｅａｄ  ｏｎｌｙ  ｍｅｍｏｒｙ；ＲＯＭ）、ハードディスク及び／又は光学磁気ディスクを含む。光学磁気ディスクを使用する１つ又は複数の実施例において、コンピュータ読み取り可能な保存媒介は、読出し専用の記憶光ディスク（ＣＤ-ＲＯＭ）、繰り返し消去、再録音可能な光ディスク（Ｃｏｍｐａｃｔ  Ｄｉｓｃ  ＲｅＷｒｉｔａｂｌｅ；ＣＤ-Ｒ／Ｗ）及び／又はデジタル多用途ディスク（ｄｉｇｉｔａｌ  ｖｅｒｓａｔｉｌｅ  ｄｉｓｃ；ＤＶＤ）を含む。
【００１９】
上記処理回路１１０に関わる実施形態は、例示として用いられるが、本願はこれに限定されない。処理回路１１０を実施するための様々な回路又はユニットは、何れも本開示内容の範囲に含まれる。
【００２０】
ある実施例において、画像投影表示装置１２０は、デジタルミニ反射鏡素子１２１、多軸シフト装置１２２、レンズ１２３及び光源１２４を含んでよい。
【００２１】
ある実施例において、デジタルミニ反射鏡素子１２１は、複数のミニ反射鏡（未図示）からなるアレイを含んでよい。光源１２４の発出した光により、デジタルミニ反射鏡素子１２１は、レンズ１２３によって表示画面を投射することができる。ある実施例において、投影表示設備１００は、第１のビデオ信号ＳＩＮの解像度に基づいて多軸シフト装置１２２を起動させることができる。
【００２２】
ある実施例において、多軸シフト装置１２２は、２組の音声コイルモータ（未図示）及び１つのレンズ（未図示）を含んでよい。１組の音声コイルモータ（ｖｏｉｃｅ  ｃｏｉｌ）は、デジタルミニ反射鏡素子１２１の投射した表示画面が第１の軸方向（例えば、垂直軸方向）に沿ってシフトするように、レンズを連動させてよい。別の１組の音声コイルモータは、デジタルミニ反射鏡素子１２１の投射した表示画面が第２の軸方向（例えば、水平軸方向）に沿ってシフトするように、レンズを連動させてよい。上記シフトにより、表示画面の解像度が等価的に向上する。シフトの詳細な操作については、後で図５に合わせて説明する。
【００２３】
ある実施例において、画像投影表示装置１２０は、３８４０×２１６０の原生解像度（４Ｋの解像度とも呼ばれる）を有する。ある適用状況において、処理回路１１０の受信した第１のビデオ信号ＳＩＮの解像度が画像投影表示装置１２０の原生解像度よりも高い。例えば、第１のビデオ信号ＳＩＮの解像度は、７６８０×４３２０の解像度（８Ｋの解像度とも呼ばれる）であってよい。
【００２４】
ある関連技術において、受信したビデオ信号の解像度が投影表示設備の原生解像度より高い場合、投影表示設備は、原生解像度を有する画面のみを示す。上記技術に比べると、本願の実施例の投影表示設備１００は、下記の表示方法６００を実行し、低い原生解像度の画像投影表示装置１２０によって高解像度を有する投影画面を提供する。
【００２５】
図２は、本願のある実施例による動き運算補正の操作２００を示す模式図である。図２に示すように、第１のビデオ信号２１０（前記図１における第１のビデオ信号ＳＩＮに相当する）の規格は８Ｋ６０Ｈｚである。
【００２６】
第１のビデオ信号２１０は、例えば、第１のフレーム２１１と第２のフレーム２１２のような連続した複数のフレームを含む。ある実施例において、処理回路１１０は、第１のフレーム２１１と第２のフレーム２１２に基づいて動き運算補正を実行して補間フレーム２３０を発生させ、また補間フレーム２３０を第１のフレーム２１１と第２のフレーム２１２との間に挿入する。前記の第１のフレーム２１１と第２のフレーム２１２は、第１のビデオ信号２１０における何れの２つの連続したフレームであってよい。例えば、処理回路１１０は、第２のフレーム２１２と次のフレーム（未図示）に基づいて動き運算補正を実行して、別の補間フレームを発生させて第２のフレーム２１２と前記の次のフレーム（未図示）との間に挿入することができる。このように類推すると、処理されたビデオ信号の規格は８Ｋ１２０Ｈｚまで向上することができる。ある実施例において、前記の連続とは、時間で連続した２枚のフレーム、又は番号が関わっている２枚のフレームであってよいが、本願はこれに限定されない。
【００２７】
各実施例において、前記の動き運算補正は、動き検出及び動き補正（Ｍｏｔｉｏｎ  Ｅｓｔｉｍａｔｉｏｎ  Ａｎｄ  Ｍｏｔｉｏｎ  Ｃｏｍｐｅｎｓａｔｉｏｎ；ＭＥＭＣ）の影像処理技術であってよい。ある実施例において、この影像処理技術は、インターレース解除（ｄｅ-ｉｎｔｅｒｌａｃｉｎｇ）及び／又は動作補間（ｍｏｔｉｏｎ  ｉｎｔｅｒｐｏｌａｔｉｏｎ）等の運算を含んでよい。上記の動き運算は、例示として用いられるが、本願はこれに限定されない。様々なタイプの動き運算補正は、何れも本願の範囲内に含まれる。
【００２８】
図３は、本願のある実施例による組合図２における第１のフレーム２１１と補間フレーム２３０の操作３００を示す模式図である。
【００２９】
ある実施例において、第１のフレーム２１１及び／又は補間フレーム２３０の各々の画面は、複数列のデータから配列されてなる。各列のデータは、複数の影像データ値（例えば、画素値）を含んでよい。ある実施例において、処理回路１１０は、第１のフレーム２１１の複数の奇数列データと補間フレーム２３０の偶数列データとを交錯して組み合わせて、第３のフレーム３２０にする。
【００３０】
例えば、図３における第３のフレーム３２０の１列目のデータ３１０と２列目のデータ３１４はそれぞれ第１のフレーム２１１の１列目のデータと３列目のデータであるが、第３のフレーム３２０の２列目のデータ３１２と４列目のデータ３１６はそれぞれ補間フレーム２３０の２列目のデータと４列目のデータである。
【００３１】
図４は、本願のある実施例による第４のフレームを発生させる操作４００を示す模式図である。ある実施例において、処理回路１１０は、図３の第３のフレーム３２０を複数のブロック（例えば、ブロック４１０、４１２、４１４及び４１６）に解体して、前記ブロックの各々の異なるの画素データによって複数の第４のフレーム（例えば、フレーム４２０、４２２、４２４及び４２６）を発生させることができる。
【００３２】
例えば、図４に示すように、処理回路１１０は、第３のフレーム３２０の複数の画素データを複数のブロック４１０、４１２、４１４及び４１６に分割することができる。複数のブロック４１０、４１２、４１４及び４１６の各々の異なる画素データがこの所定の方向によって配列される。例えば、図４に示すように、前記の所定の方向は、時計回り方向であってよい。各ブロック４１０、４１２、４１４及び４１６の各々の複数の画素データが対応するブロック内の左上隅から時計回り方向で順次に配列される。例えば、複数の画素データが対応するブロックの左上隅、右上隅、右下隅及び左下隅の位置に順次に配列され、複数の画素データ１〜４として順次に番号づけられる。
【００３３】
次に、処理回路１１０は、複数のブロック４１０、４１２、４１４及び４１６の各々の対応する画素データに基づいて複数の第４のフレーム４２０、４２２、４２４及び４２６の対応するものを発生させることができる。例えば、処理回路１１０は、複数のブロック４１０、４１２、４１４及び４１６の各々の画素データ１を第４のフレーム４２０として組み合わせ、また複数のブロック４１０、４１２、４１４及び４１６の各々の画素データ２を第４のフレーム４２２として組み合わせることができる。このように類推すると、処理回路１１０は、複数の画素データ３を第４のフレーム４２４として組み合わせ、また複数の画素データ４を第４のフレーム４２６として組み合わせることができる。最後に、発生した全ての第４のフレームを繋いで第２のビデオ信号４３０になる。
【００３４】
つまり、画素単位４ｘ４のフレームを例として、処理回路１１０は、第３のフレーム３２０の１６個の画素ドットを順次に左上、右上、右下及び左下の４つのブロック４１０、４１２、４１４及び４１６に分割することができる。各ブロックの４つの画素ドットを更に左上、右上、右下及び左下の４つの位置に分けて、順次に番号づけ、また、４つのブロックにおける同じ番号の画素ドットを、第４のフレーム４２０、第４のフレーム４２２、第４のフレーム４２４と第４のフレーム４２６という別々に新しいフレームに合成することができる。
【００３５】
ある実施例において、図４に示すように、第３のフレーム３２０の各々が４つの第４のフレーム４２０、４２２、４２４及び４２６に解体されることができるので、全ての第４のフレーム４２０、４２２、４２４及び４２６からなる第２のビデオ信号４３０の規格は、等価的に４Ｋ２４０Ｈｚに調整されることができる。
【００３６】
図５は、本願のある実施例による偏向投影の操作５００を示す模式図である。ある実施例において、前記の多軸シフト装置１２２は、高解像度の投影画面を発生させるように、周期的に時計回りに偏向して第２のビデオ信号４３０を投影することに用いられてよい。人の目の視覚的持続の原因で、ユーザの感知した投影画面は、等価的に重ね合わせた４つの４Ｋの解像度のフレームと見られてよい。このように、ユーザの感知した投影画面の解像度は、等価的に８Ｋの解像度に向上される。
【００３７】
ある実施例において、図５の初期影像位置５１０は、多軸シフト装置１２２が作動していない（偏向せず）場合に、デジタルミニ反射鏡素子１２１のレンズ１２３によって投射した初期影像位置を表す。
【００３８】
ある実施例において、多軸シフト装置１２２の発生したシフトは、所定の方向（例えば、前記の時計回り方向）によってシフトする。例えば、多軸シフト装置１２２の偏向投影作動としては、まず、第２のビデオ信号４３０の影像（つまり、第４のフレーム４２０）を初期影像位置５１０から投影位置５１１にシフトさせ、また第２のビデオ信号４３０の影像（つまり、第４のフレーム４２２、４２４及び４２６）を時計回り方向で順次に投影位置５１２、投影位置５１３及び投影位置５１４に移動させる。人の目の視覚的持続の原因で、最後に示される画面は、つまり、影像５２０である。
【００３９】
図６は、本願のある実施例による投影表示設備１００の表示方法６００を示す流れ図である。容易に理解させるために、表示方法６００については、前記投影表示設備１００及び図２〜図５における複数の操作に合わせて説明する。
【００４０】
操作Ｓ６１０では、第１のビデオ信号２１０を受信して、連続した第１のフレーム２１１と第２のフレーム２１２との間で動き運算補正を実行して、補間フレーム２３０を生成する。
【００４１】
ここでの操作については、前記図２の操作２００を参照してよいので、ここで繰り返して説明しない。ある実施例において、動き運算補正によって、第１のビデオ信号２１０の連続した２つの画面ごとに新しいフレームを挿入することで、動き画面の連続性を増加させることができる。ビデオの毎秒間のフレームが多いほど、示される動き影像の流暢性がよい。
【００４２】
操作Ｓ６２０では、第１のフレーム２１１の複数の奇数列データと補間フレーム２３０の偶数列データとを交錯して組み合わせて、第３のフレーム３２０にする。
【００４３】
ここでの操作については、前記図３の操作３００を参照してよいので、ここで繰り返して説明しない。ある実施例において、第１のフレーム２１１と補間フレーム２３０との間でそれぞれ奇、偶数列データを取って第３のフレーム３２０を発生させることで、前に動き運算補正の操作２００により向上した画面連続性の効果を続けることができる。
【００４４】
操作Ｓ６３０では、第３のフレーム３２０を複数のブロック４１０、４１２、４１４及び４１６に解体して、前記ブロック４１０、４１２、４１４及び４１６の各々における異なる画素データ１〜４に基づいて第４のフレーム４２０、４２２、４２４及び４２６を発生させる。ここでの操作については、前記図４の操作４００を参照してよいので、ここで繰り返して説明しない。
【００４５】
操作Ｓ６４０では、発生した全ての第４のフレーム４１０、４１２、４１４及び４１６を第２のビデオ信号４３０として出力する。
【００４６】
操作Ｓ６５０では、画像投影表示装置１２０によって第２のビデオ信号４３０を周期的に偏向して投影し、投影画面を発生させる。
【００４７】
ある実施例において、周期的に偏向して投影することは、人の目の視覚的持続の特性を利用して、複数の画面を快速に偏向して投影して１つの画面になるように積み重ね、解像度の向上効果を発生させるためのものである。
【００４８】
例として、図４及び図５に示すように、第２のビデオ信号４３０は４つの第４のフレームを含み、第２のビデオ信号４３０を周期的に偏向して投影し、人の目の視覚的持続の原因で、４つの第４のフレームが１つの高解像度の画面になるように積み重ねる。
【００４９】
ある実施例において、当時の投影設備の提供した最大解像度が４Ｋであれば、前記操作及び処理によって、画面の解像度を８Ｋに向上させることができる。
【００５０】
上記のビデオ信号規格において、４Ｋの解像度とは、デイスプレイ又は表示内容の水平解像度が四千の画素のレベルに達成し、垂直解像度が二千の画素のレベルに達成するものである。４Ｋの映画の長さと幅は一般的に４０９６×２１６０又は３８４０×２１６０である。８Ｋの解像度の長さと幅は７６８０×４３２０であり、その合計画素も４Ｋより４倍高い。
【００５１】
上記のビデオ信号規格において、４Ｋ６０Ｈｚにおける６０Ｈｚ（ヘルツ）はフレーム率、つまり、１秒間に何枚のフレーム（画面；ｆｒａｍｅ）が表示されるかを表す。１秒間に表示する画面が多いほど、ビデオがより流暢になる。
【００５２】
上記各実施例の言及した解像度及び／又はフレーム率の様々な数値は、何れも例示として用いられるが、且つ本願はこれに限定されない。様々な解像度及び／又はフレーム率も本願に含まれる範囲にある。
【００５３】
上記制御方法６００における複数の操作は例示だけであり、この例示における順序によって実行するように限定されるわけではない。本願の各実施例の操作形態と範囲に違反せずに、表示方法６００での様々な操作については、適当に増加したり、取り替えたり、省略したり又は異なる順序で実行してもよい。
【００５４】
以上をまとめると、本願の実施例の提供した投影表示設備及び表示方法によれば、低原生解像度を有する投影設備により高解像度の表示画面を発生させることができる。
【００５５】
本発明を実施形態によって以上のように開示したが、本発明を制限することではなく、当業者なら誰でも、本発明の精神や範囲から逸脱しない限り、様々な変更や修正を行うことができるため、本発明の保護範囲は後に付いた特許請求の範囲を基準とすべきである。
【符号の説明】
【００５６】
１００  投影表示設備
ＳＯＵＴ  第２のビデオ信号
１２０  画像投影表示装置
１２２  多軸シフト装置
１２４  光源
２１０  第１のビデオ信号
２１２  第２のフレーム
３００、４００、５００、Ｓ６１０、Ｓ６２０、Ｓ６５０、２００、Ｓ６３０、Ｓ６４０  操作
３１２  ２列目のデータ
３１６  ４列目のデータ
４１４、４１６  ブロック
４２４、４２６  第４のフレーム
５１１、５１２  投影位置
５２０  影像
４ｋ２４０Ｈｚ、８ｋ６０Ｈｚ、８ｋ１２０Ｈｚ  規格
１、２、３、４  画素データ 
ＳＩＮ  第１のビデオ信号
１１０  処理回路
１２１  デジタルミニ反射鏡素子
１２３  レンズ
２１１  第１のフレーム
２３０  補間フレーム
３１０  １列目のデータ
３１４  ３列目のデータ
３２０  第３のフレーム
４１０、４１２  ブロック
４２０、４２２  第４のフレーム
４３０  第２のビデオ信号
５１０  初期影像位置
５１３、５１４  投影位置
６００  表示方法
【図１】
2020137107.tif 000003
【図２】
2020137107.tif 000004
【図３】
2020137107.tif 000005
【図４】
2020137107.tif 000006
【図５】
2020137107.tif 000007
【図６】
2020137107.tif 000008